(57)【要約】【課題】画像読込み原稿がタブ紙の場合に、無駄になっている画像読込み時間や原稿搬送時間を節約することで画像読込み処理の効率化を図る。【解決手段】タブ部を有するタブ紙と、タブ部を有しない普通紙とを、読込み原稿として順に搬送可能なシート搬送装置において、タブ紙および普通紙の画像を読込む画像読込み装置と、画像読込み装置に、タブ紙および普通紙を搬送する搬送装置と、搬送している原稿が、タブ紙であるか否かを検出するタブ紙検出装置と、画像読込み装置、搬送装置、タブ紙検出装置を制御する制御装置とを具備し、制御装置が、タブ紙検出装置が搬送している原稿がタブ紙であると検出したときは、画像読込み装置による画像読込みを行わずに、直ちに読込み原稿の排出を行うことを特徴とする。【選択図】図９
2008203532.tif 000002
【特許請求の範囲】
【請求項１】
タブ部を有するタブ紙と、タブ部を有しない普通紙とを、読込み原稿として順に搬送可能なシート搬送装置において、
タブ紙および普通紙の画像を読込む画像読込み装置と、
前記画像読込み装置に、タブ紙および普通紙を搬送する搬送装置と、
搬送している原稿が、タブ紙であるか否かを検出するタブ紙検出装置と、
前記画像読込み装置、前記搬送装置、前記タブ紙検出装置を制御する制御装置とを具備し、
該制御装置が、前記タブ紙検出装置が搬送している原稿がタブ紙であると検出したときは、前記画像読込み装置による画像読込みを行わずに、直ちに読込み原稿の排出を行うことを特徴とするシート搬送装置。
【請求項２】
前記制御装置が、前記タブ紙検出装置が搬送している原稿がタブ紙であると検出したときは、前記画像読込み装置による画像読込みを行わずに読込み原稿の排出を行うときに、増速して読込み原稿の排出を行うことを特徴とする請求項１に記載のシート搬送装置。
【請求項３】
前記制御装置に指示を出す操作部を更に具備し、
前記タブ紙検出装置が搬送している原稿がタブ紙であると検出した場合にも、前記画像読込み装置による画像読込みを行うか否かを、シート搬送装置の操作者に選択させることを特徴とする請求項１に記載のシート搬送装置。
【発明の詳細な説明】
【技術分野】
【０００１】
本発明は、複写機、ファクシミリ機、スキャナーなどの自動原稿読取装置に最適なシート搬送装置に関するものである。
【背景技術】
【０００２】
複写機、ファクシミリ機、スキャナーなどの自動原稿読取装置にされる従来のシート搬送装置を、以下に簡単に説明する。
【０００３】
特開２００３−１４６４８５号公報によると、シートの斜行を検知する斜行検知手段と、シート搬送方向の手前側及び奥側に配置され搬送速度が可変な２以上の搬送ローラ対からなる斜行矯正手段と、シート形状情報をもとに斜行検知手段からの情報を補正して斜行量を求める斜行量算出手段とを有し、斜行矯正手段により、補正した斜行量に基づいてシートの斜行を矯正する。これにより、タブ紙に代表される矩形でないシートの斜行を確実に矯正し得る。
【０００４】
特開２００５−３２００９３号公報によると、用紙に画像を転写する画像転写部に対して用紙を所定の搬送速度で送り込むレジストローラと、レジストローラの搬送方向上流側でかつ搬送方向と直交する方向の異なる位置で用紙の先端通過を検知する複数の検知センサと、画像形成の対象となる用紙がタブ付きの用紙であって、このタブ付きの用紙がタブの部分を搬送方向下流側に向けてレジストローラへと搬送される場合に、複数の検知センサで用紙の先端通過を検知したタイミングに基づいてレジストローラによる用紙の搬送速度を制御する。これにより、従来の画像形成装置では、タブの部分を搬送方向下流側に向けてタブ紙をレジストローラに搬送する場合に、像担持体に画像を書き込む前にセンサによる検知動作を完了しないと、画像転写部で画像と用紙の到達タイミングを合わせることができなかった点を改良した。
【０００５】
特開２００２−３３３７６５号公報によると、現像剤を収納する現像剤収納手段と、現像剤収納手段に収納されている現像剤を流動化させ、かつ、現像剤収納手段外へ排出させるための空気を供給する空気供給手段と、現像剤収納手段外へ排出された現像剤を移送路として構成された現像剤移送管とを有する現像剤移送装置において、現像剤移送管の移送方向における下流側に、現像剤の排出量を制御する排出量制御手段が設けられている。これにより、高精度の現像剤の補給が可能で、またスクリューポンプを用いた場合でも異常画像が生じにくい効果が得られる。
【０００６】
特開２００２−１５２４４２号公報によると、タブ付きシートであるタブシートの給送を伴って所定の処理を行うタブインサートモードやタブ作成モード等のタブ紙モードが画像形成ジョブに対して設定されている場合、ＣＰＵが、画像回転を伴うステイプル機能等のタブシートモードと組み合わせ不可能な機能に関する処理を制限する。これにより、タブインサートモードやタブ作成モード等のタブ紙モードとタブ紙モードと組み合わせ不可能な機能に関する処理の両方を設定してしまう等の設定ミスによるタブ紙モード実行時のミスコピーなどの無駄を抑制し、ユーザの手間を軽減することが出来る。
【０００７】
特開２００４−２８４７８７号公報によると、タブシートが搬送可能なシート搬送路中に、シート搬送方向に直交する方向に沿って略一直線上に少なくとも三以上のセンサを離間配設し、使用予定のタブシートのタブ位置全部若しくは一部に対応して予め決められた基準数Ａのセンサを配置すると共に、各タブシートのタブ以外の領域に対応して配置されるセンサ２の数をＢとした場合にＢ＞Ａの関係を満たし、エッジ判断装置により、各センサからの信号に基づいて、タブシートのタブ以外のエッジをシートエッジとして検出可能とした。また、このシート検出装置を用いたシート処理装置をも対象とする。これにより、コストの低廉化を図りながら、タブシートの場合でも正確にシートエッジを検出可能としている。
【特許文献１】特開２００３−１４６４８５号公報
【特許文献２】特開２００５−３２００９３号公報
【特許文献３】特開２００２−３３３７６５号公報
【特許文献４】特開２００２−１５２４４２号公報
【特許文献５】特開２００４−２８４７８７号公報
【発明の開示】
【発明が解決しようとする課題】
【０００８】
一般的にタブ紙は仕切りとして使用されるので、タブ紙とタブ紙の間に挟まれた普通紙の画像読込みのみを望み、タブ紙の画像読込みを望まない場合が多い。そのため、画像読込み時間や原稿搬送時間が無駄になっている場合があった。
【０００９】
本発明は、上記の問題点に鑑みてなされたもので、画像読込み原稿がタブ紙の場合には、画像読込みを省略することで画像読込み処理の効率化を図ることを目的とする。
【課題を解決するための手段】
【００１０】
この目的を達成するために、請求項１の発明によるシート搬送装置は、タブ部を有するタブ紙と、タブ部を有しない普通紙とを、読込み原稿として順に搬送可能なシート搬送装置において、タブ紙および普通紙の画像を読込む画像読込み装置と、画像読込み装置に、タブ紙および普通紙を搬送する搬送装置と、搬送している原稿が、タブ紙であるか否かを検出するタブ紙検出装置と、画像読込み装置、搬送装置、タブ紙検出装置を制御する制御装置とを具備し、制御装置が、タブ紙検出装置が搬送している原稿がタブ紙であると検出したときは、画像読込み装置による画像読込みを行わずに、直ちに読込み原稿の排出を行うことを特徴とする。
請求項２の発明によるシート搬送装置は、請求項１において、制御装置が、タブ紙検出装置が搬送している原稿がタブ紙であると検出したときは、画像読込み装置による画像読込みを行わずに読込み原稿の排出を行うときに、増速して読込み原稿の排出を行うことを特徴とする。
請求項３の発明によるシート搬送装置は、請求項１において、制御装置に指示を出す操作部を更に具備し、タブ紙検出装置が搬送している原稿がタブ紙であると検出した場合にも、画像読込み装置による画像読込みを行うか否かを、シート搬送装置の操作者に選択させることを特徴とする。
【発明の効果】
【００１１】
以上のように、本発明のシート搬送装置によれば、画像読込み原稿がタブ紙の場合に、無駄になっている画像読込み時間や原稿搬送時間を節約することで画像読込み処理の効率化を図ることが可能となる。
【発明を実施するための最良の形態】
【００１２】
以下、本発明の実施の形態を図面に基づいて説明する。
【実施例１】
【００１３】
図１〜図７は、本発明によるシート搬送装置の一実施形態を示す断面図である。図８は、本発明によるシート搬送装置の一実施形態を示す斜視図である。図９は、本発明によるシート搬送装置の一実施形態を示すフローチャートである。
【００１４】
図１〜図７は、図８に示す原稿送り装置３の部分の断面図であり、画像形成装置の制御回路（図示せず）により図９に示すフローチャートに従って駆動制御される。以下、図９に示すフローチャートに従って、図１〜図７と共に本発明によるシート搬送装置の一実施形態について説明する。
【００１５】
図９において、ＤＦ（ドラフトフィード）ＳＴＡＲＴ信号を受信することによりプログラムがスタートする。ステップＳ１で給紙モータ（図示せず）がオンすると、図１に示すコロ３１とコロ３２ａ〜３２ｂとが回転して原稿２０を図１の左方向に搬送する。
【００１６】
なお、原稿２０は、図１〜図７で示すように、コロ３１、コロ３２ａ〜３２ｂ、コロ３３ａ〜３３ｂ、コロ３４、ドラム３５、コロ３６、コロ３７、コロ３８、コロ３９ａ〜３９ｂ、コロ４０ａ〜４０ｂに回転挟持されることにより搬送される。また、コロ３１およびコロ３２ａ〜３２ｂは給紙モータによって駆動され、コロ３３ａ〜３３ｂはレジストモータ（図示せず）によって駆動され、コロ３４、ドラム３５、コロ３６、コロ３７、コロ３８、コロ３９ａ〜３９ｂ、およびコロ４０ａ〜４０ｂは搬送モータ（図示せず）によって駆動される。
【００１７】
図２に示す状態に至る直前に、搬送される原稿２０によってフィードスイッチ２５がオンになる（ステップＳ２）。これにより制御回路（図示せず）内の給紙モータパルスカウントがスタートする（ステップＳ３）。給紙モータパルスカウントを所定値までカウントアップする間に図２に示す位置まで原稿２０が搬送される（ステップＳ４）。これにより、レジストモータ（図示せず）と搬送モータ（図示せず）とがオンになる（ステップＳ５）。レジストモータおよび搬送モータは、搬送される原稿２０が２枚目以降の場合は、オン状態を維持する。ステップＳ６では、レジストモータパルスカウントがスタートする。ステップＳ７では、原稿２０のタブ部の有無によってオンオフ切り替えされるスイッチ（図示せず）によって、原稿２０がタブ紙であるか否かが検出される。
【００１８】
タブ紙であると判断した時は、ステップＳ９〜ステップＳ１４を経由してから、ステップＳ２１に移行する。タブ紙でないと判断した時は、ステップＳ９〜ステップＳ１４を経由してから、ステップＳ１５に移行する。
【００１９】
ステップＳ９〜ステップＳ１４では、次の動作を行う。即ち、（ステップＳ）９では、レジストモータパルスカウントがスタートする。レジストモータパルスカウントを所定値までカウントアップする間に図３に示す位置まで原稿２０が搬送される。（ステップＳ）１０では、搬送モータパルスカウントがスタートする。なお、先に搬送された原稿２０がタブ紙である場合は搬送モータパルスカウント値をａ秒に設定し、先に搬送された原稿２０が普通紙（搬送方向の後端にタブ部が無い紙）である場合は搬送モータパルスカウント値をｂ秒（但し、ａ＞ｂ）に設定する。このように搬送モータパルスカウント値を設定する理由は、先に搬送された原稿２０がタブ紙である場合は搬送時間を長くすることにより、次に搬送される搬送紙の先端部と先に搬送された原稿２０のタブ部とが重なることを防止するためである。
【００２０】
搬送モータパルスカウントを所定値までカウントアップする間、レジストモータをオンにし（ステップＳ１１）、図４に示す位置まで原稿２０が搬送され、タイミングスイッチ２６がオンになる（ステップＳ１２）。次いで、原稿２０がフィードスイッチ２５の位置を通過しすると、フィードスイッチ２５がオフになり（ステップＳ１３）、レジストモータを停止する（ステップＳ１４）。このときの原稿２０は、図５に示す位置に在る。
【００２１】
ステップＳ１５では、セットスイッチ２４がオンか否かを判断する。オンと判断した時は、ステップＳ１からの各ステップとステップＳ１６以降の各ステップとを並行して実行する。オフと判断した時はステップＳ１９に移行し、タイミングスイッチ２７がオフになったときに搬送モータを増速する。原稿２０は、搬送モータで駆動されるコロ３８、コロ３９ａ〜３９ｂ、およびコロ４０ａ〜４０ｂに回転挟持されて図６の右方向に排出され（ステップＳ２０）、プログラムを終了する。搬送モータを増速する理由は、原稿２０の搬送時間を短縮して画像読込み処理の効率化を図るためである。
【００２２】
ステップＳ１５で、セットスイッチ２４がオフと判断した時は、タイミングスイッチ２７がオフになったときに搬送モータを増速すると同時に搬送モータパルスカウントをスタートする（ステップＳ１６）。原稿２０は、搬送モータで駆動されるコロ３８、コロ３９ａ〜３９ｂ、およびコロ４０ａ〜４０ｂに回転挟持されて、図６の右方向に排出され（ステップＳ１７）、搬送モータカウントアップしたときに搬送モータを定速に戻す（ステップＳ１８）。このとき、原稿２０は図７の位置に到達する。なお、次の原稿２０ａの搬送速度が速くなってしまうと読取り倍率が変化してしまい、また原稿づまりを起こす原因にもなるので、原稿２０が完全に排出されて搬送モータが定速に戻ってから（ステップＳ１８）、次の原稿２０ａの読込みを行うようにしている。
【００２３】
ステップＳ２１では、セットスイッチ２４がオンか否かを判断する。オンと判断した時は、ステップＳ１からの各ステップとステップＳ２２以降の各ステップとを並行して実行する。オフと判断した時はステップＳ２４に移行し、ＣＣＤ２８による画像の読込みを行い（ステップＳ２４）、原稿２０は、搬送モータで駆動されるコロ３８、コロ３９ａ〜３９ｂ、およびコロ４０ａ〜４０ｂに回転挟持されて、図６の右方向に排出され（ステップＳ２５）、プログラムを終了する。
【００２４】
ステップＳ２１でセットスイッチ２４がオンと判断した時は、ステップＳ２２に移行してＣＣＤ２８による画像の読込みを行い、原稿２０は、搬送モータで駆動されるコロ３８、コロ３９ａ〜３９ｂ、およびコロ４０ａ〜４０ｂに回転挟持されて、図６の右方向に排出される（ステップＳ２５）。
【００２５】
図９で示したように、搬送されている原稿２０がタブ紙でないと判断したときに（ステップＳ８）、ＣＣＤ２８による画像の読込み（ステップＳ２４）を行っている。また、搬送されている原稿２０がタブ紙であると判断したときに（ステップＳ８）、画像の読込みを行わずに原稿２０の排出を行っている（ステップＳ１６およびステップＳ１９）。画像の読込みを行わずに原稿２０を排出する理由は、原稿２０がタブ紙である場合の画像読込み時間を省略して画像読込み処理の効率化を図るためである。
【００２６】
なお、上述した実施例では、原稿２０がタブ紙であると判断したときには、画像の読込みを行わずに、直ちに原稿２０の排出を行っているが、操作部を設けて、原稿２０がタブ紙の場合にも画像の読込みを行うか否かを、自動原稿読取装置の操作者に選択させるようにしても良い。
【産業上の利用可能性】
【００２７】
本発明は、複写機、ファクシミリ機、スキャナーなどの自動原稿読取装置に利用可能な技術を提示している。
【図面の簡単な説明】
【００２８】
【図１】シート搬送装置を示す断面図である。（実施例１）
【図２】シート搬送装置を示す断面図である。（実施例１）
【図３】シート搬送装置を示す断面図である。（実施例１）
【図４】シート搬送装置を示す断面図である。（実施例１）
【図５】シート搬送装置を示す断面図である。（実施例１）
【図６】シート搬送装置を示す断面図である。（実施例１）
【図７】シート搬送装置を示す断面図である。（実施例１）
【図８】シート搬送装置を示す斜視図である。（実施例１）
【図９】シート搬送装置の動作を示すフローチャートである。（実施例１）
【符号の説明】
【００２９】
１    画像形成装置
２    センサ
３    原稿送り装置
２０    原稿
２４    セットスイッチ
２５    フィードスイッチ
２６    タイミングスイッチ
２７    タイミングスイッチ
２８    ＣＣＤ
３１    コロ
３２ａ  コロ
３２ｂ  コロ
３３ａ  コロ
３３ｂ  コロ
３４    コロ
３５    ドラム
３６    コロ
３７    コロ
３８    コロ
３９ａ  コロ
３９ｂ  コロ
４０ａ  コロ
４０ｂ  コロ
【図１】
2008203532.tif 000003
【図２】
2008203532.tif 000004
【図３】
2008203532.tif 000005
【図４】
2008203532.tif 000006
【図５】
2008203532.tif 000007
【図６】
2008203532.tif 000008
【図７】
2008203532.tif 000009
【図８】
2008203532.tif 000010
【図９】
2008203532.tif 000011